(57)【要約】【課題】従来のバレルを用いて、被めっき品の損傷を防ぎ、良好なめっきができるバレル式電気めっき法を提供する。【解決手段】複数の導電性ネット２４に被めっき品を分けて入れ、この導電性ネット２４をバレル２１に入れる（投入する）ことで、被めっき品の損傷を防ぎ、良好なめっきができる。【選択図】        図１
2014101537.tif 000002
【特許請求の範囲】
【請求項１】
めっき槽内にバレルを浸漬配置し、該バレルを回転することで被めっき品にめっきを施すバレル式電気めっき法において、
前記被めっき品を複数の可撓性のある導電性ネットに分割して入れた後、前記導電性ネットを前記バレル内に入れ、該バレルが回転することで、前記導電性ネットがバレル内に設置された電極に接触し、該電極からの電流が前記導電性ネットを介して前記被めっき品に流れることで、前記被めっき品がめっきされることを特徴とするバレル式電気めっき法。
【請求項２】
前記導電性ネットが金網袋で形成され、該金網袋に前記被めっき品を入れた後、前記金網袋の口が閉じられることを特徴とする請求項１に記載のバレル式電気めっき法。
【請求項３】
前記金網袋が、細い銅線で編まれた袋であることを特徴とする請求項２に記載のバレル式電気めっき法。
【発明の詳細な説明】
【技術分野】
【０００１】
この発明は、バレル式電気めっき法に関する。
【背景技術】
【０００２】
電気めっき法の手法には引掛けめっき、バレルめっきなどの手法がある。その中でも回転式バレルめっきは作業に手間がかからず、一度に大量の部品（被めっき品）にめっきを施すことが可能である。そのため、比較的小さい大量の部品にめっきを施す場合に多く用いられる手法である。
【０００３】
しかし、前記利点がある反面、バレルの中に大量の部品を投入して回転させるため、部品同士が接触し、部品が変形したり、部品同士の絡まりによるめっき不良が起こるという欠点がある。
【０００４】
そこで、図３に示すように、バレル１内部に金網１０の陰極を固定して設置し、被めっき品の割れを防ぐ方法がある（特許文献１）。尚、図３の符号で１はバレル、４は直流電源５の陽極に接続する陽電極、５は直流電源、６はモータ、７，８はモータの駆動力をバレル１に伝達するギア、９は直流電源５の陰極に接続する給電線、１０は部品を載置する金網、１１はめっき液をバレル１内に導く小孔である。
【先行技術文献】
【特許文献】
【０００５】
【特許文献１】特開平５−２２２５９３号公報
【発明の概要】
【発明が解決しようとする課題】
【０００６】
しかし、前記の特許文献１に示される方法では、バレル１内に設置した金網１０により被めっき品の損傷は低減されるが、攪拌される被めっき品の移動範囲が十分に狭くならないため、被めっき品の損傷を十分に減らすことができない。また、被めっき品同士の絡みつきも十分には防止できず、良好なめっきを得るには不十分である。さらに、バレル内に金網状の陰極を設置する必要があり、装置コストが増加する。
【０００７】
この発明の目的は、前記の課題を解決して、従来のバレルを用い、被めっき品の損傷を防ぎ、良好なめっきを施すことができるバレル式電気めっき法を提供することにある。
【課題を解決するための手段】
【０００８】
前記の目的を達成するために、特許請求の範囲の請求項１に記載の発明によれば、めっき槽内にバレルを浸漬配置し、該バレルを回転することで被めっき品にめっきを施すバレル式電気めっき法において、前記被めっき品を複数の可撓性のある導電性ネットに分割して入れた後、前記導電性ネットを前記バレル内に入れ、該バレルが回転することで、前記導電性ネットがバレル内に設置された電極に接触し、該電極からの電流が前記導電性ネットを介して前記被めっき品に流れることで、前記被めっき品がめっきされるバレル式電気めっき法とする。
【０００９】
また、特許請求の範囲の請求項２記載の発明によれば、請求項１に記載の発明において、前記導電性ネットが金網袋で形成され、該金網袋に前記被めっき品を入れた後、前記金網袋の口が閉じられるとよい。
【００１０】
また、特許請求の範囲の請求項３記載の発明によれば、請求項２に記載の発明において、前記金網袋が、細い銅線で編まれた袋であるとよい。
【発明の効果】
【００１１】
この発明によれば、複数の可撓性のある導電性ネットに被めっき品を分けて入れ、この導電性ネットを従来のバレルに入れる（投入する）ことで、被めっき品の損傷を防ぎ、良好なめっきができる。
【図面の簡単な説明】
【００１２】
【図１】この発明の一実施例に係るバレル式電気めっき法を説明する図である。
【図２】導電性ネット２４の構成図であり、（ａ）は被めっき品２９を入れないときの斜視図、（ｂ）は被めっき品２９を入れて口２７を紐２８で縛って口２９を閉じた要部断面図である。
【図３】特許文献１で示される従来のバレル式電気めっき法を説明する図である。
【発明を実施するための形態】
【００１３】
実施の形態を以下の実施例で説明する。
＜実施例＞
図１は、この発明の一実施例に係るバレル式電気めっき法を説明する図である。被めっき品２９（図２（ｂ）参照）の出し入れが可能な構成の複数（ここでは５個）の導電性ネット２４に被めっき品２９を分けて入れ、導電性ネット２４をバレル２１に入れる（投入する）。導電性ネット２４の数は限定されないが、多いほどめっき工程の前後工程に時間を要するため、数個が適当である。バレル２1は図示しないめっき液の入っためっき槽内で回転の中心軸２３を軸として回転する。回転することによって、導電性ネット２４が電極２２（陰極）に触れ、また導電性ネット２４同士が接触する。導電性ネット２４内に入れた被めっき品２９はめっき液に触れ、電極２２に直流電流を流すことで導電性ネット２４を介して被めっき品２９に電流が流れてめっきが施される。この導電性ネット２４は電極２２に接することで補助電極の役割も果たす。尚、バレル２１は円筒や六角筒など筒状の容器で、壁にはめっき液をバレル２１内に導く多数の図示しない小孔が開いている。
【００１４】
図２は、導電性ネット２４の構成図であり、同図（ａ）は被めっき品２９を入れないときの斜視図、同図（ｂ）は被めっき品２９を入れて口２７を紐２８で縛って口２７を閉じた状態の要部断面図である。
【００１５】
この導電性ネット２４は、例えば、細い銅線２５などで編まれた金網袋２６と、被めっき品２９を入れた後、金網袋２６の口２７を閉じる、例えば、紐２８で構成される。勿論、この紐２８以外に専用の締め具を用いても構わない。被めっき品２９を入れた導電性ネット２４は、被めっき品２９の集合体３０の形状に合わせて変形するよう柔らかな可撓性を有する。バレル２１の回転により導電性ネット２４はバレル２１内で回転しながら攪拌され、この導電性ネット２４に入れられた被めっき品２９は導電性ネット２４内で攪拌されて良好にめっきされる。
【００１６】
前記したように、導電性ネット２４に被めっき品２９を入れることで、被めっき品２９の移動範囲が狭い範囲に制限される。そのため、バレル２１の回転時に被めっき品２９同士が勢いよく衝突することがなくなり、被めっき品２９の損傷は低減される。
【００１７】
また、被めっき品２９同士の絡まりが防止されることで、被めっき品２９に良好なめっきを施すことができる。
また、前記したように、導電性ネット２４は、電極２２と接触することで、補助電極の役割を果たす。そのため、電極面積が広くなり、めっきの効率を高めることができる。また、導電性ネット２４が攪拌されることで、めっき液が被めっき品２９に均一に触れるため、被めっき品２９を均等にめっきすることができる。更に、この方法では、従来のバレルに導電性ネット２４を追加するだけでよく、装置コストは上昇しない。また、バレル２１の形状や大きさに関わらずめっきを施すことができる。
【符号の説明】
【００１８】
２１    バレル
２２    電極
２３    中心軸
２４    導電性ネット
２５    銅線
２６    金網袋
２７    金網袋の口
２８    紐
２９    被めっき品
３０    被めっき品の集合体
【図１】
2014101537.tif 000003
【図２】
2014101537.tif 000004
【図３】
2014101537.tif 000005